(57)【特許請求の範囲】
【請求項１】
電源と、第１のブラシ端子および第２のブラシ端子を備え、上記両ブラシ端子が通電されると、ワイパを作動させるための出力軸が回転するワイパモータと、オフ位置に切換えられることによってそれぞれ接続される第１のスイッチ端子および第２のスイッチ端子を備えているとともに、オン位置に切換えられることによって上記第２のスイッチ端子に接続される第３のスイッチ端子を備えたワイパスイッチと、上記電源に接続された電源端子と出力端子とを有し、オン位置に切換えられると両端子間を接続し、オフ位置に切換えられると両端子間の接続を解除するイグニションスイッチと、一端が上記イグニションスイッチの出力端子に接続され、他端が接地された第１のリレーコイルおよび上記ワイパスイッチの上記第１のスイッチ端子に接続された第１のリレー常閉接点と、上記ワイパスイッチの第３のスイッチ端子に接続された第１のリレー可動接点と、接地された第１のリレー常開接点を備えた第１のスイッチングリレーと、上記電源に接続された第２のリレー可動接点と、上記ワイパモータの上記第１のブラシ端子に接続された第２のリレー常開接点を備えているとともに一端が上記第２のリレー常開接点に接続され且つ他端が自己保持回路に接続された第２のリレーコイルを備えた第２のスイッチングリレーと、上記ワイパスイッチの上記第１のスイッチ端子に接続されたオートストップスイッチ可動接点と、上記第２のスイッチングリレーの上記第２のリレー常開接点に接続されたオートストップスイッチ常閉接点と、接地されたオートストップスイッチ常開接点を備え、上記ワイパモータの出力軸に連動してワイパが予め定められた停止位置にないと上記オートストップスイッチ可動接点が上記オートストップスイッチ常開接点に接続され、ワイパが予め定められた停止位置にくると上記オートストップスイッチ可動接点が上記オートストップスイッチ常閉接点に接続されるオートストップスイッチとを備え、上記自己保持回路は、上記第２のスイッチングリレーの第２のリレーコイルに接続され上記イグニションスイッチがオン状態になると上記第２のスイッチングリレーの第２のリレーコイルに通電経路を形成する第１のトランジスタスイッチと、上記第２のスイッチングリレーの第２のリレーコイルおよび上記オートストップスイッチのオートストップスイッチ可動接点に接続され上記オートストップスイッチのオートストップスイッチ可動接点がオートストップスイッチ常開接点に接続されている間上記第２のスイッチングリレーの第２のリレーコイルの通電経路を形成し、上記オートストップスイッチのオートストップスイッチ可動接点がオートストップスイッチ常閉接点に接続されて通電経路を遮断する第２のトランジスタスイッチとを備えていることを特徴とするワイパ装置。
【請求項２】
自己保持回路の第１のトランジスタスイッチはベースが上記イグニションスイッチの出力端子に接続されているとともにコレクタが上記第２のスイッチングリレーのリレーコイルの他端に接続され且つエミッタが接地され自己保持回路の第２のトランジスタスイッチは、ベースが上記第２のスイッチングリレーの第２のリレーコイルの一端に接続されているとともにコレクタが上記第２のスイッチングリレーの第２のリレーコイルの他端に接続され且つエミッタが上記オートストップスイッチのオートストップスイッチ可動接点に接続されている請求項１に記載のワイパ装置。
【発明の詳細な説明】
【０００１】
【産業上の利用分野】
この発明は、ワイパを作動させることによってガラス面を拭うのに利用されるワイパ装置に関し、特に、ワイパスイッチがオフ切換えされてもワイパを所定の停止位置まで作動させ続けるワイパ装置に関する。
【０００２】
【従来の技術】
ワイパスイッチがオフ切換えされてもワイパを所定の停止位置まで作動させ続けるワイパ装置としては、例えば、実開昭５５−４８５４１号公報に開示されているものが知られている。
【０００３】
上記の公報に開示されたワイパ装置は、ワイパが作動中にワイパスイッチがオフ切換えされると、ワイパが定位置にくるまでワイパモータに電流が供給され、ワイパが定位置にくるとワイパモータに対する電流供給が中止されてワイパを所定の位置に停止させる。
【０００４】
【発明が解決しようとする課題】
ところが、上記したような従来のワイパ装置において、自動車を駐車する際、ワイパが作動中に、イグニションスイッチがオフ操作されると、ワイパモータはイグニションスイッチを介して電源に接続されているため、電源の電流が供給されなくなり、ワイパを払拭面上で勝手に停止させてしまうこととなり、ワイパが払拭面上で停止しているままで駐車すると、その後に発車する際、イグニションスイッチのオン切換えと同時に、ワイパスイッチがオフ切換えされているにも拘らず、ワイパは停止位置にくるまで作動することとなり、雨の時に車庫内に駐車してから、同じく雨の時に発車する場合は良いが、雨の時に車庫内に駐車してから、晴れの時に発車する場合はワイパが不必要に作動してしまうこととなってワイパの乾拭きをしてかえって払拭面を汚すことにもなりかねなず、このようなことを避けるため、イグニションスイッチをオフ切換えする前に、ワイパスイッチをオフ切換えして、ワイパが所定の停止位置に停止したのを確認したうえで、イグニションスイッチをオフ切換えするという煩雑な操作をともなっていたという問題点があり、上記の問題点を解決することが課題となっていた。
【０００５】
【発明の目的】
この発明に係わるワイパ装置は、ワイパの作動中にイグニションスイッチがオフされても、ワイパを所定の停止位置まで作動させ続けてから停止させることにより、ワイパを払拭面上に停止させず、不使用時にワイパを所定の位置に停止させることができるワイパ装置を提供することを目的としている。
【０００６】
【発明の構成】
【０００７】
【課題を解決するための手段】
この発明の請求項１に係わるワイパ装置では、電源と、第１のブラシ端子および第２のブラシ端子を備え、上記両ブラシ端子が通電されると、ワイパを作動させるための出力軸が回転するワイパモータと、オフ位置に切換えられることによってそれぞれ接続される第１のスイッチ端子および第２のスイッチ端子を備えているとともに、オン位置に切換えられることによって上記第２のスイッチ端子に接続される第３のスイッチ端子を備えたワイパスイッチと、上記電源に接続された電源端子と出力端子とを有し、オン位置に切換えられると両端子間を接続し、オフ位置に切換えられると両端子間の接続を解除するイグニションスイッチと、一端が上記イグニションスイッチの出力端子に接続され、他端が接地された第１のリレーコイルおよび上記ワイパスイッチの上記第１のスイッチ端子に接続された第１のリレー常閉接点と、上記ワイパスイッチの第３のスイッチ端子に接続された第１のリレー可動接点と、接地された第１のリレー常開接点を備えた第１のスイッチングリレーと、上記電源に接続された第２のリレー可動接点と、上記ワイパモータの上記第１のブラシ端子に接続された第２のリレー常開接点を備えているとともに一端が上記第２のリレー常開接点に接続され且つ他端が自己保持回路に接続された第２のリレーコイルを備えた第２のスイッチングリレーと、上記ワイパスイッチの上記第１のスイッチ端子に接続されたオートストップスイッチ可動接点と、上記第２のスイッチングリレーの上記第２のリレー常開接点に接続されたオートストップスイッチ常閉接点と、接地されたオートストップスイッチ常開接点を備え、上記ワイパモータの出力軸に連動してワイパが予め定められた停止位置にないと上記オートストップスイッチ可動接点が上記オートストップスイッチ常開接点に接続され、ワイパが予め定められた停止位置にくると上記オートストップスイッチ可動接点が上記オートストップスイッチ常閉接点に接続されるオートストップスイッチとを備え、上記自己保持回路は、上記第２のスイッチングリレーの第２のリレーコイルに接続され上記イグニションスイッチがオン状態になると上記第２のスイッチングリレーの第２のリレーコイルに通電経路を形成する第１のトランジスタスイッチと、上記第２のスイッチングリレーの第２のリレーコイルおよび上記オートストップスイッチのオートストップスイッチ可動接点に接続され上記オートストップスイッチのオートストップスイッチ可動接点がオートストップスイッチ常開接点に接続されている間上記第２のスイッチングリレーの第２のリレーコイルの通電経路を形成し、上記オートストップスイッチのオートストップスイッチ可動接点がオートストップスイッチ常閉接点に接続されて通電経路を遮断する第２のトランジスタスイッチとを備えている構成としたことを特徴としている。
【０００８】
この発明の請求項２に係わるワイパ装置では、自己保持回路の第１のトランジスタスイッチはベースが上記イグニションスイッチの出力端子に接続されているとともにコレクタが上記第２のスイッチングリレーのリレーコイルの他端に接続され且つエミッタが接地され自己保持回路の第２のトランジスタスイッチは、ベースが上記第２のスイッチングリレーの第２のリレーコイルの一端に接続されているとともにコレクタが上記第２のスイッチングリレーの第２のリレーコイルの他端に接続され且つエミッタが上記オートストップスイッチのオートストップスイッチ可動接点に接続されている構成としたことを特徴としている。
【０００９】
【発明の作用】
この発明の請求項１及び２に係わるワイパ装置において、イグニションスイッチがオン状態にされることによって、第１のスイッチングリレーは、その第１のリレーコイルが励磁されてワイパスイッチの第３のスイッチ端子に接地回路を形成し、さらに第２のスイッチングリレーの第２のリレーコイルを励磁してワイパモータの第１のブラシ端子に電源を接続する。この状態でワイパスイッチがオン位置に切換えられることによってワイパモータは回転してワイパを作動させる。そして、自己保持回路もオン状態になる。ワイパスイッチがオン位置に切換えられているままの状態でイグニションスイッチがオフ状態になると、第１のスイッチングリレーは、その第１のリレーコイルが消磁されてワイパスイッチの第３のスイッチ端子を第１のスイッチ端子に接続させるが、自己保持回路は、オートストップスイッチのオートストップスイッチ可動接点がオートストップスイッチ常開接点に接続されている間、第２のスイッチングリレーの第２のリレーコイルを励磁し続けて自己保持状態としてワイパモータを電源に接続し続ける。そして、オートストップスイッチのオートストップスイッチ可動接点がオートストップスイッチ常閉接点に復帰したと同時に自己保持回路がオフ状態になり、ワイパモータは電源から遮断される。それ故、イグニションスイッチが遮断されてからもワイパが予め定められた停止位置にくるまではワイパは作動し続けてワイパが予め定められた停止位置にきたところでワイパは停止するため、イグニションスイッチが遮断されたと同時にワイパの作動が中止されることはない。
【００１０】
【実施例】
図１および図２にはこの発明に係わるワイパ装置の実施例が示されており、図１にはこの発明に係わるワイパ装置の第一実施例が示され、図２にはこの発明に係わるワイパ装置の第二実施例が示されている。
【００１１】
図１に示されるワイパ装置１は、主として、ワイパスイッチ２、ワイパモータ３、オートストップスイッチ４、第１のスイッチングリレーＲＬ１、第２のスイッチングリレーＲＬ２、イグニションスイッチ５、ウオッシャモータ６、自己保持回路７、電源５０から構成されている。
【００１２】
ワイパスイッチ２には、第１のスイッチ端子Ｐ、第２のスイッチ端子Ｌ、第３のスイッチ端子Ｅ、第４のスイッチ端子Ｗがそれぞれ備えられており、このワイパスイッチ２は、オフ位置（ＯＦＦ）に切換えられると第１のスイッチ端子Ｐおよび第２のスイッチ端子Ｌが接続され、オン位置（ＯＮ）に切換えられると第２のスイッチ端子Ｌに第３のスイッチ端子Ｅが接続され、ウオッシャ位置（ＷＡ）に切換えられると第３のスイッチ端子Ｅに第４のスイッチ端子Ｗが接続される。
【００１３】
イグニションスイッチ５には、電源５０に接続された電源端子Ｂ、アクセサリー端子（出力端子）ＡＣＣ、イグニション端子（出力端子）ＩＧ、スタータ端子ＳＴがそれぞれ備えられており、電源端子Ｂは電源５０と直接接続されている。このイグニションスイッチ５は、オフ位置（ＯＦＦ）でいずれの端子も接続されず、オフ位置（ＯＦＦ）からアクセサリー位置（ＡＣＣ）に切換えられると電源端子Ｂにアクセサリー端子ＡＣＣが接続されてアクセサリー端子ＡＣＣに電圧が発生し、アクセサリー位置（ＡＣＣ）からイグニション位置（ＩＧ）に切換えられると電源端子Ｂにアクセサリー端子ＡＣＣおよびイグニション端子ＩＧが接続されてイグニション端子ＩＧに電圧が発生し、イグニション位置（ＩＧ）からスタート位置（ＳＴ）に切換えられると電源端子Ｂにイグニション端子ＩＧおよびスタータ端子ＳＴが接続されてスタータ端子ＳＴに電圧が発生する。
【００１４】
イグニションスイッチ５は、車両のイグニションキーシリンダに取付けられているため、このイグニションキーシリンダにキーが差し込まれてから、所定の方向に回されることによって、オフ位置（ＯＦＦ）、アクセサリー位置（ＡＣＣ）、イグニション位置（ＩＧ）の順にそれぞれ切換えられ、イグニション位置（ＩＧ）からスタート位置（ＳＴ）へは図示しない戻しばねに抗して回すようになっているため、スタート位置（ＳＴ）からイグニション位置（ＩＧ）へは自動復帰される。
【００１５】
一方、ワイパモータ３には、第１のブラシ端子３ａ、第２のブラシ端子３ｂ、出力軸３ｃが備えられている。
【００１６】
第１のブラシ端子３ａは後述する第２のスイッチングリレーＲＬ２に備えた常開接点ＲＬ２−３に接続されており、第２のブラシ端子３ｂはワイパスイッチ２の第２のスイッチ端子Ｌに接続されているため、ワイパモータ３は、第２のスイッチングリレーＲＬ２の常開接点ＲＬ２−３が電源５０に接続され、且つワイパスイッチ２の第２のスイッチ端子Ｌが接地されることによって出力軸３ｃが回転する。この出力軸３ｃは図示しないワイパブレードにリンクを介して連結されるため、出力軸３ｃが回転することによってワイパブレードで払拭面を拭うワイパ作動を行う。ワイパモータ３にはオートストップスイッチ４が取付けられている。
【００１７】
オートストップスイッチ４には、オートストップスイッチ可動接点４ａ、オートストップスイッチ常閉接点４ｂ、オートストップスイッチ常開接点４ｃが備えられている。
【００１８】
オートストップスイッチ可動接点４ａはワイパモータ３の出力軸３ｃに結合されているため、ワイパモータ３の出力軸３ｃの回転にともなって作動し、ワイパが予め定められた停止位置にあるとオートストップスイッチ常閉接点４ｂに電気的に接続され、ワイパが予め定められた停止位置にない間はオートストップスイッチ常開接点４ｃに電気的に接続される。
【００１９】
また、オートストップスイッチ可動接点４ａは後述する自己保持回路７に備えた第２のトランジスタスイッチＴＲ２のエミッタ，後述する第１のスイッチングリレーＲＬ１に備えた常閉接点ＲＬ１−３，ワイパスイッチ２の第１のスイッチ端子Ｐにそれぞれ接続され、オートストップスイッチ常閉接点４ｂは第２のスイッチングリレーＲＬ２に備えた常開接点ＲＬ２−３に接続されており、オートストップスイッチ常開接点４ｃは接地されている。
【００２０】
オートストップスイッチ４は、ワイパスイッチ２がオン位置（ＯＮ）からオフ位置（ＯＦＦ）に切換えられた際、ワイパが予め定められた停止位置にないと、そのオートストップスイッチ可動接点４ａがオートストップスイッチ常開接点４ｃに接続されることによって、後述する自己保持回路７の第２のトランジスタスイッチＴＲ２のエミッタに接地回路を形成し、且つワイパスイッチ２の第１のスイッチ端子Ｐを接地させてワイパモータ３の第２のブラシ端子３ｂを接地させ、一方、ワイパが下部反転位置として予め定められた停止位置にくると、オートストップスイッチ可動接点４ａがオートストップスイッチ常開接点４ｃからオートストップスイッチ常閉接点４ｂに復帰することによって自己保持回路７の第２のトランジスタスイッチＴＲ２のエミッタに対する接地回路の形成を停止し、ワイパスイッチ２の第１のスイッチ端子Ｐを電源５０に接続させてワイパモータ３の両ブラシ端子３ａ、３ｂを短絡させることによる電磁制動によってワイパモータ３の出力軸３ｃを強制的に停止させる。
【００２１】
オートストップスイッチ４のオートストップスイッチ可動接点４ａが常閉接点ＲＬ１−３に接続された第１のスイッチングリレーＲＬ１は、第１のリレーコイルＲＬ１−１、第１のリレー可動接点ＲＬ１−２、第１のリレー常閉接点ＲＬ１−３、第１のリレー常開接点ＲＬ１−４を備えている。
【００２２】
第１のリレーコイルＲＬ１−１は一端がイグニションスイッチ５のアクセサリー端子ＡＣＣに接続され、他端が接地されている。第１のリレーコイルＲＬ１−１は、イグニションスイッチ５がアクセサリー位置に切換えられることによって励磁され、イグニッションスイッチ５がオフ状態になると消磁される。
【００２３】
第１のリレー可動接点ＲＬ１−１はワイパスイッチ２の第３のスイッチ端子Ｅに接続され、第１の常開接点ＲＬ１−４は接地されている。
【００２４】
第１のスイッチングリレーＲＬ１は、イグニションスイッチ５がオフ位置（ＯＦＦ）からアクセサリー位置（ＡＣＣ）に切換えられると第１のリレーコイルＲＬ１−１が励磁され、第１のリレー可動接点ＲＬ１−２が第１のリレー常閉接点ＲＬ１−３から第１のリレー常開接点ＲＬ１−２に切換わり、ワイパスイッチ２の第３のスイッチ端子Ｅを接地させる。そして、オン位置に切換えられたワイパスイッチ２の第２のスイッチ端子Ｌを第３のスイッチ端子Ｅを介して接地する。第１のリレーコイルＲＬ１−１が消磁されると第１のリレー可動接点ＲＬ１−２が第１のリレー常開接点ＲＬ１−４から第１のリレー常閉接点ＲＬ１−３に復帰し、オン位置に切換えられたワイパスイッチ２の第３のスイッチ端子Ｅを第１のスイッチ端子Ｐに接続させる。
【００２５】
ワイパモータ３の第１のブラシ端子３ａに第２のリレー常開接点ＲＬ２−３が接続された第２のスイッチングリレーＲＬ２は、第２のリレーコイルＲＬ２−１、第２のリレー可動接点ＲＬ２−２、第２のリレー常開接点ＲＬ２−３を備えている。
【００２６】
第２のスイッチングリレーＲＬ２の第２のリレーコイルＲＬ２−１は、一端が後述する自己保持回路７に備えられた第１のトランジスタスイッチＴＲ１のコレクタおよび自己保持回路７に備えられた第２のトランジスタスイッチＴＲ２のコレクタにそれぞれ接続され、他端が自己保持回路７に備えられた第２のダイオードＤ２のカソード，自己保持回路７に備えられた第１のダイオードＤ１のカソード，自己保持回路７に備えられた第２のトランジスタスイッチＴＲ２のベースに接続されているため、イグニションスイッチ５がオフ位置（ＯＦＦ）からアクセサリー位置（ＡＣＣ）に切換えられることによって自己保持回路７の第１，第２のトランジスタスイッチＴＲ１，ＴＲ２がオン状態になると励磁される。イグニションスイッチ５がオフ位置（ＯＦＦ）に切換えられることによって自己保持回路７の第１のトランジスタスイッチＴＲ１がオフ状態になっても、第２のスイッチングリレーＲＬ２のリレーコイルＬ２−１は、後述するように自己保持回路７の第２のトランジスタスイッチＴＲ２がオン状態に保たれているために励磁され続け、自己保持回路７の第２のトランジスタスイッチＴＲ２のオフによって消磁される。
【００２７】
第２のスイッチングリレーＲＬのリレー可動接点ＲＬ２−２は、電源５０に接続されているため、第２のリレーコイルＲＬ２−１が励磁されることによってリレー常開接点ＲＬ２−３に接続されると、ワイパモータ３の第１のブラシ端子３ａに電源５０を接続するとともに自己保持回路７の第２のダイオードＤ２のアノードに電源５０を接続する。
【００２８】
一方、自己保持回路７は、第１のトランジスタスイッチＴＲ１，第２のトランジスタスイッチＴＲ２，第１のダイオードＤ１，第２のダイオードＤ２，第１の抵抗Ｒ１，第２の抵抗Ｒ２，第３の抵抗Ｒ３，第４の抵抗Ｒ４，ツェナダイオードＺＤを備えている。
【００２９】
第１のトランジスタスイッチＴＲ１はNPN 型トランジスタであって、この第１のトランジスタスイッチＴＲ１はベースが第１の抵抗Ｒ１を介してイグニションスイッチ５のアクセサリー端子ＡＣＣに接続されているとともに第２の抵抗Ｒ２を介して接地され、コレクタが前述したように第２のスイッチングリレーＲＬ２の第２のリレーコイルＲＬ２−１の一端に接続され、エミッタが接地されている。この第１のトランジスタスイッチＴＲ１は、イグニションスイッチ５がオフ位置（ＯＦＦ）からアクセサリー位置（ＡＣＣ）かイグニション位置（ＩＧ）に切換えられることによってオン状態となり、イグニションスイッチ５のアクセサリー端子ＡＣＣ，第１のダイオードＤ１，第２のリレーコイルＲＬ２−１，第１のトランジスタスイッチＴＲ１のコレクタ，第１のトランジスタスイッチＴＲ１のエミッタ，接地の通電経路を形成して第２のリレーコイルＲＬ２−１を励磁する。そして第２のリレーコイルＲＬ２−１が励磁されることによって第２のスイッチングリレーＲＬ２の第２のリレー可動接点ＲＬ２−２を第２のリレー常開接点ＲＬ２−３に接続し、ワイパモータ３の第１のブラシ端子３ａに電源５０を接続させる。この第１のトランジスタスイッチＴＲ１はイグニションスイッチ５がオフ位置（ＯＦＦ）に切換えられることによってオフ状態になる。
【００３０】
第２のトランジスタスイッチＴＲ２は第１のトランジスタスイッチＴＲ１と同様にNPN 型トランジスタであって、ベースが第３の抵抗Ｒ３および逆方向接続の第１のダイオードＤ１を介してイグニションスイッチ４のアクセサリー端子ＡＣＣ，第３の抵抗Ｒ３と第１のダイオードＤ１との接続点と逆方向接続の第２のダイオードＤ２を介して第２のスイッチングリレーＲＬ１の第２のリレー常開接点ＲＬ２−３，第４の抵抗Ｒ４を介してエミッタにそれぞれ接続され、コレクタが第２のスイッチングリレーＲＬ２の第２のリレーコイルＲＬ２−１の一端に接続され、エミッタがオートストップスイッチ４のオートストップスイッチ可動接点４ａに接続されている。
【００３１】
第２のトランジスタスイッチＴＲ２は、イグニションスイッチ５がアクセサリー位置（ＡＣＣ）かイグニション位置（ＩＧ）に切換えられることによってダイオードＤ１，抵抗Ｒ３を介して、そのベースに電圧が供給されている際に、ワイパモータ３の出力軸３ｃが回転することによってワイパが作動されてオートストップスイッチ４のオートストップスイッチ可動接点４ａがオートストップスイッチ常開接点４ｃに接続されると、オン状態になる。そして、イグニションスイッチ５がオフ位置（ＯＦＦ）に切換えられて第１のトランジスタスイッチＴＲ１がオフ状態となってからも、電源５０，第２のスイッチングリレーＲＬ２の第２のリレー可動接点ＲＬ２−２，第２のスイッチングリレーＲＬ２の第２の常開接点ＲＬ２−３，第２のダイオードＤ２，抵抗３を経由して第２のトランジスタスイッチＴＲ２にはベース電流が供給され、さらに第２のスイッチングリレーＲＬ２の第２のリレーコイルＲＬ２−１，第２のトランジスタスイッチＴＲ２のコレクタ，第２のトランジスタスイッチＴＲ２のエミッタ，オートストップスイッチ４のオートストップスイッチ可動接点４ａ，オートストップスイッチ４のオートストップスイッチ常開接点４ｃ，接地の通電経路によって第２のトランジスタスイッチＴＲ２は、オン状態に保たれ、第２のトランジスタスイッチＴＲ２は第２のスイッチングリレーＲＬ２の第２のリレーコイルＲＬ２−１の励磁を保持する機能を有する。
【００３２】
そして、第２のトランジスタスイッチＴＲ２は、オートストップスイッチ４のオートストップスイッチ可動接点４ａがオートストップスイッチ常開接点４ｃからオートストップスイッチ常閉接点４ｂに復帰されることによって接地経路が遮断されるとオフ状態により、第２のスイッチングリレーＲＬ２の第２のリレーコイルＲＬ２−１を消磁させるため、第２のスイッチングリレーＲＬ２の第２のリレー可動接点ＲＬ２−２を第２のリレー常開接点ＲＬ２−３から離してワイパモータ３の第１のブラシ端子３ａに対し電源５０との接続を遮断する。
【００３３】
加えて、ウオッシャモータ６には、一方のブラシ端子となる第１のブラシ端子６ａ、他方のブラシ端子となる第２のブラシ端子６ｂ、出力軸６ｃが備えられている。
【００３４】
ウオッシャモータ６の第１のブラシ端子６ａはワイパモータ３と同様にして第２のスイッチングリレーＲＬ２の第２のリレー常開接点ＲＬ２−３に接続され、ウオッシャモータ６の第２のブラシ端子６ｂはワイパスイッチ２の第４のスイッチ端子Ｗに接続されているため、イグニションスイッチ５がオフ位置（ＯＦＦ）からアクセサリー位置（ＡＣＣ）かイグニション位置（ＩＧ）に切換えられて第２のスイッチングリレーＲＬ２の第２のリレーコイルＲＬ２−１が励磁され、この第２のスイッチングリレーＲＬ２の第２のリレー可動接点ＲＬ２−２が第２のリレー常開接点ＲＬ２−３に接続されている際に、ワイパスイッチ２の第４のスイッチ端子Ｗが接地されることによって出力軸６ｃが回転する。この出力軸６ｃは図示しないポンプに結合され、このポンプはウオッシャタンクに貯蔵した洗浄液内に配置されているため、出力軸６ｃが回転することによって洗浄液をノズルから払拭面に噴射させる。
【００３５】
このような構造をなすワイパ装置１は、イグニションキーシリンダにキーが差し込まれてから所定の方向に回されてオフ位置（ＯＦＦ）、アクセサリー位置（ＡＣＣ）、イグニション位置（ＩＧ）、スタート位置（ＳＴ）の順に切換えられ、図示しないスタータモータを回転させることによって車両のエンジンが始動されてからイグニションスイッチ５はイグニション位置（ＩＧ）に戻される。イグニションスイッチ５がアクセサリー位置（ＡＣＣ）、イグニション位置（ＩＧ）に切換えられることによって、自己保持回路７の第１のトランジスタスイッチＴＲ１がオンされるため、第２のスイッチングリレーＲＬ２の第２のリレーコイルＲＬ２−１は励磁されてワイパモータ３の第１のブラシ端子３ａに電源５０を接続し、同時に第１のスイッチングリレーＲＬ１の第１のリレーコイルＲＬ１−１が励磁されるため、第１のリレー可動接点ＲＬ１−２は第１のリレー常閉接点ＲＬ１−３から第１のリレー常開接点ＲＬ１−４に切換わり、ワイパスイッチ２の第３のスイッチ端子Ｅを接地させる。
【００３６】
ワイパスイッチ２がオフ位置（ＯＦＦ）からオン位置（ＯＮ）に切換えられると、ワイパスイッチ２の第２のスイッチ端子Ｌが第３のスイッチ端子Ｅに接続され、この第３のスイッチ端子Ｅは第１のスイッチングリレーＲＬ１の第１のリレー可動接点ＲＬ１−２を介して接地されているので、ワイパモータ３には、電源５０，第２のスイッチングリレーＲＬ２の第２のリレー可動接点ＲＬ２−２，第２のスイッチングリレーＲＬ２の第２のリレー常開接点ＲＬ２−３，ワイパモータ３の第１のブラシ端子３ａ，ワイパモータ３の第２のブラシ端子３ｂ，ワイパスイッチ２の第２のスイッチ端子Ｌ，ワイパスイッチ２の第３のスイッチ端子Ｅ，第１のスイッチングリレーＲＬ１の第１のリレー可動接点ＲＬ１−２，第１のスイッチングリレーＲＬ１の第１のリレー常開接点ＲＬ１−４，接地の通電経路を介して電源５０から電流が流れ、ワイパモータ３の出力軸３ｃが回転を始め、ワイパを作動させて払拭面を拭う。
【００３７】
このとき、ワイパスイッチ２がウオッシャ位置（ＷＡ）に切換えられると、ワイパスイッチ２の第４のスイッチ端子Ｗが接地されることによってウオッシャモータ６の出力軸６ｃが回転し、出力軸６ｃが回転することによって洗浄液がノズルから払拭面に噴射される。
【００３８】
ワイパが作動されて払拭面を拭っている途中で、ワイパスイッチ２がオフ位置（ＯＦＦ）に切換えられると、ワイパスイッチ２の第２のスイッチ端子Ｌが第１のスイッチ端子Ｐに接続され、ワイパスイッチ２の第１のスイッチ端子Ｐに接続されているオートストップスイッチ４のオートストップスイッチ可動接点４ａはワイパが予め定められた停止位置にない間はオートストップスイッチ常開接点４ｃを介して接地されるため、ワイパスイッチ２の第１のスイッチ端子Ｐに、オートストップスイッチ４のオートストップスイッチ可動接点４ａ，オートストップスイッチ常開接点４ｃ，接地の通電経路が形成されてワイパモータ３への通電がワイパが予め定められた停止位置にくるまで続けられ、ワイパが予め定められた停止位置にきて、オートストップスイッチ４のオートストップスイッチ可動接点４ａがオートストップスイッチ常開接点４ｃから離れてオートストップスイッチ常閉接点４ｂに接続されると同時に、ワイパスイッチ２の第１のスイッチ端子Ｐに対する接地の通電経路が遮断され、ワイパの予め定められた停止位置でワイパモータ３の第２のブラシ端子３ｂに第１のブラシ端子３ａが接続され、ワイパモータ３は電磁制動により、出力軸３ｃの回転を停止する。それ故、ワイパはワイパスイッチ２がオフ位置（ＯＦＦ）に切換えられると、所定の停止位置まで移動して停止される。
【００３９】
そして、ワイパスイッチ２がオン位置（ＯＮ）にあってワイパを作動させているままで、イグニションスイッチ５をオフ位置（ＯＦＦ）に切換えると、イグニションスイッチ５のアクセサリー端子ＡＣＣに電圧が発生しなくなるため、第１のスイッチングリレーＲＬ１の第１のリレーコイルＲＬ１−１は消磁されるとともに、自己保持回路７の第１のトランジスタスイッチＴＲ１はオフされる。
【００４０】
第１のスイッチングリレーＲＬ１の第１のリレーコイルＲＬ１−１が消磁されることによって、第１のリレー可動接点ＲＬ１−２は第１のリレー常開接点ＲＬ１−４から離れて第１のリレー常閉接点ＲＬ１−３に接続される。しかし、ワイパスイッチ２はオン位置（ＯＮ）に切換えられているままなので、第１のスイッチングリレーＲＬ１の第１のリレー可動接点ＲＬ１−２を介してワイパスイッチ２の第３のスイッチ端子Ｅがオートストップスイッチ４のオートストップスイッチ可動接点４ａに接続され、オートストップスイッチ４のオートストップ可動接点４ａはワイパが作動中でかつ予め定められた停止位置にない間はオートストップ常開接点４ｃを介して接地されている、それ故、ワイパスイッチ２の第３のスイッチ端子Ｅは、第１のスイッチングリレーＲＬ１の第１のリレー可動接点ＲＬ１−２，第１のスイッチングリレーＲＬ１の第１のリレー常閉接点ＲＬ１−３，オートストップスイッチ４のオートストップスイッチ可動接点４ａ，オートストップスイッチ４のオートストップスイッチ常開接点４ｃを経由して接地される。
【００４１】
このとき、自己保持回路７では、第１のトランジスタスイッチＴＲ１がオフされることにより、第１のダイオードＤ１から第２のスイッチングリレーＲＬ２の第１のリレーコイルＲＬ２−１を通る電流が消滅する。しかし、ワイパが作動中であってワイパが予め定められた停止位置にないので、第２のトランジスタスイッチＴＲ２は、そのエミッタがオートストップスイッチ４のオートストップスイッチ可動接点４ａからオートストップスイッチ常開接点４ｃを通って接地されているためオンし続けて、電源５０，第１のスイッチングリレーＲＬ１の第１のリレー可動接点ＲＬ２−２，第１のスイッチングリレーＲＬ１の第１のリレー常開接点ＲＬ２−３，第２のダイオードＤ２，第２のスイッチングリレーＲＬ２の第２のリレーコイルＲＬ２−１，第２のトランジスタスイッチＴＲ２のコレクタ，第２のトランジスタスイッチＴＲ２のエミッタ，オートストップスイッチ４のオートストップスイッチ可動接点４ａ，オートストップスイッチ４のオートストップスイッチ常開接点４ｃ，接地の通電経路により第２のスイッチングリレーＲＬ２の第２のリレーコイルＲＬ２−２を自己保持して励磁させ続ける。
【００４２】
それ故、ワイパモータ３は、電源５０，第２のスイッチングリレーＲＬ２の第２の可動接点ＲＬ２−２，第２のスイッチングリレーＲＬ２の第２のリレー常開接点ＲＬ２−３，第１のブラシ端子３ａ，第２のブラシ端子３ｂ，ワイパスイッチ２の第２のスイッチ端子Ｌ，ワイパスイッチ２の第３のスイッチ端子Ｅ，第１のスイッチングリレーＲＬ１の第１の可動接点ＲＬ１−２，第１のスイッチングリレーＲＬ１の第１のリレー常閉接点ＲＬ１−３，オートストップスイッチ４のオートストップスイッチ可動接点４ａ，オートストップスイッチ４のオートストップスイッチ常開接点４ｃ，接地の通電経路によって出力軸３ｃを回転し続けてワイパを作動させ続ける。
【００４３】
ワイパが作動し続けて予め定められた停止位置にくると、オートストップスイッチ４のオートストップスイッチ可動接点４ａはオートストップスイッチ常閉接点４ｂに復帰するため、自己保持回路７の第２のトランジスタスイッチＴＲ２は、そのエミッタ接地回路が遮断され、オフ状態となる。そして、第２のスイッチングリレーＲＬ２の第２のリレーコイルＲＬ２−１が消磁されて、ワイパモータ３の第１のブラシ端子３ａと電源５０との接続は遮断される。
【００４４】
これと同時に、ワイパモータ３の第２のブラシ端子３ｂ，ワイパスイッチ２の第２のスイッチ端子Ｌ，ワイパスイッチ２の第３のスイッチ端子Ｅ，第１のスイッチングリレーＲＬ１の第１の可動接点ＲＬ１−２，第１のスイッチングリレーＲＬ１の第１のリレー常閉接点ＲＬ１−３，オートストップスイッチ４のオートストップスイッチ可動接点４ａ，オートストップスイッチ４のオートストップスイッチ常閉接点４ｂ，ワイパモータ３の第１のブラシ端子３ａを通る閉回路が形成されてワイパモータ３に電磁制動がかかるため、ワイパモータ３の出力軸３ｃは瞬時のうちに回転を停止する。
【００４５】
そして、再び車両を走行させる際に、ワイパスイッチ２をオフ位置（ＯＦＦ）に戻してから、イグニションスイッチ５をオフ位置（ＯＦＦ）、アクセサリー位置（ＡＣＣ）、イグニション位置（ＩＧ）、スタート位置（ＳＴ）の順に切換えられてからイグニション位置（ＩＧ）に戻して車両のエンジンを始動させれば、ワイパは予め定められた停止位置にあって作動することはない。
【００４６】
すなわち、本発明ではワイパスイッチ２がオン位置（ＯＮ）のままで、イグニションスイッチ５がオフ位置（ＯＦＦ）に切換えられても、ワイパモータ３は停止せず、ワイパが予め定められた停止位置にくるまではワイパモータ３に対する通電経路が形成され続け、ワイパが予め定められた停止位置にきたらワイパモータ３に対する通電経路が遮断され、ワイパモータ３は停止する。
【００４７】
図２に示されるこの発明の第二実施例に係わるワイパ装置１において、第１のスイッチングリレーＲＬ１の第１のリレーコイルＲＬ１−１は、一端がイグニションスイッチ５のイグニション端子ＩＧに接続され、他端が接地されており、自己保持回路７の第１のトランジスタスイッチＴＲ１のベースおよび第２のトランジスタスイッチＴＲ２のベースがイグニションスイッチ５のイグニション端子ＩＧに接続されている。このイグニションスイッチ５はオフ位置（ＯＦＦ）からアクセサリー位置（ＡＣＣ）に切換えられると電源端子Ｂにアクセサリー端子ＡＣＣが接続され、さらにアクセサリー位置（ＡＣＣ）からイグニション位置（ＩＧ）に切換えられると、電源端子Ｂにアクセサリー端子ＡＣＣおよびイグニション端子ＩＧが接続され、イグニション端子ＩＧに電圧が発生する。なお、他の部位は第一実施例と同様になっている。
【００４８】
この場合、第１のスイッチングリレーＲＬ１の第１のリレーコイルＲＬ１−１は、イグニションスイッチ５がオフ位置（ＯＦＦ）からアクセサリー位置（ＡＣＣ）に切換えられても励磁されず、イグニションスイッチ５がアクセサリー位置（ＡＣＣ）からイグニション位置（ＩＧ）に切換えられることによって励磁される。さらにイグニションスイッチ５がイグニション位置（ＩＧ）からスタート位置（ＳＴ）に切換えられると消磁され、イグニションスイッチ５がオフ位置（ＯＦＦ）に切換えられても消磁される。
【００４９】
そして、この場合のワイパ装置１では、イグニションスイッチ５がアクセサリー位置（ＡＣＣ）からイグニション位置（ＩＧ）に切換えられることによって、第１のスイッチングリレーＲＬ１の第１のリレーコイルＲＬ１−１が励磁され、自己保持回路７の第１のトランジスタスイッチＴＲ１もオンされ、ワイパスイッチ２がオン位置（ＯＮ）に切換えられることによって、第一実施例と同様にワイパモータ３の両ブラシ端子３ａ，３ｂに通電経路を形成してワイパを作動させる。
【００５０】
この場合も、ワイパスイッチ２がオン位置（ＯＮ）のままで、イグニションスイッチ５がオフ位置（ＯＦＦ）に切換えられても、イグニションスイッチ５のオフ切換えと同時にワイパモータ３を停止されず、ワイパが予め定められた停止位置にくるまではワイパモータ３に対する通電経路は形成され続け、ワイパが予め定められた停止位置に来ると、ワイパモータ３に対する通電経路は遮断される。
【００５１】
【発明の効果】
以上説明してきたように、この発明の請求項１及び２に係わるワイパ装置によれば、イグニションスイッチがオン状態にされることによって、第１のスイッチングリレーは、その第１のリレーコイルが励磁されてワイパスイッチの第３のスイッチ端子に接地回路を形成し、さらに第２のスイッチングリレーの第２のリレーコイルを励磁してワイパモータの第１のブラシ端子に電源を接続する。この状態でワイパスイッチがオン位置に切換えられることによってワイパモータは回転してワイパを作動させる。そして、自己保持回路もオン状態になる。ワイパスイッチがオン位置に切換えられているままの状態でイグニションスイッチがオフ状態になると、第１のスイッチングリレーは、その第１のリレーコイルが消磁されてワイパスイッチの第３のスイッチ端子を第１のスイッチ端子に接続させるが、自己保持回路は、オートストップスイッチのオートストップスイッチ可動接点がオートストップスイッチ常開接点に接続されている間、第２のスイッチングリレーの第２のリレーコイルを励磁し続けて自己保持状態としてワイパモータを電源に接続し続ける。そして、オートストップスイッチのオートストップスイッチ可動接点がオートストップスイッチ常閉接点に復帰したと同時に自己保持回路がオフ状態になり、ワイパモータは電源から遮断されるので、イグニションスイッチが遮断されてからもワイパが予め定められた停止位置にくるまではワイパは作動し続けてワイパが予め定められた停止位置にきたところでワイパは停止する。したがって、ワイパの作動中にイグニションスイッチがオフされても、ワイパは所定の停止位置まで作動し続けてから停止してワイパは払拭面上に停止せず、ワイパを所定の停止位置に停止させることができるという優れた効果を奏する。
【図面の簡単な説明】
【図１】この発明に係わるワイパ装置の第一実施例の回路図である。
【図２】この発明に係わるワイパ装置の第二実施例の回路図である。
【符号の説明】
１      ワイパ装置
２      ワイパスイッチ
３      ワイパモータ
３ａ    第１のブラシ端子
３ｂ    第２のブラシ端子
３ｃ    出力軸
４      オートストップスイッチ
４ａ    オートストップスイッチ可動接点
４ｂ    オートストップスイッチ常閉接点
４ｃ    オートストップスイッチ常開接点
５      イグニションスイッチ
６      ウオッシャモータ
６ａ    一方のブラシ端子
６ｂ    他方のブラシ端子
７      自己保持回路
５０    第１の電源
ＡＣＣ  アクセサリー端子（出力端子）
Ｂ      電源端子
Ｅ      第３のスイッチ端子
ＩＧ    イグニション端子（出力端子）
Ｌ      第２のスイッチ端子
Ｐ      第１のスイッチ端子
ＲＬ１      第１のスイッチングリレー
ＲＬ１−１  第１のリレーコイル
ＲＬ１−２  第１のリレー可動接点
ＲＬ１−３  第１のリレー常閉接点
ＲＬ１−４  第１のリレー常開接点
ＲＬ２      第２のスイッチングリレー
ＲＬ２−１  第２のリレーコイル
ＲＬ２−２  第２のリレー可動接点
ＲＬ２−３  第２のリレー常開接点
ＳＴ    スタータ端子
ＴＲ１  第１のトランジスタスイッチ
ＴＲ２  第２のトランジスタスイッチ
Ｗ      第４のスイッチ端子
【図１】
0003543127.tif 000002
【図２】
0003543127.tif 000003